(57)【要約】【課題】上着を着用しつつ、ポーチを上着の上に出すことができるウエストポーチを提供すること。【解決手段】ウエストポーチ１は、ポーチ２、ポーチ２に固定される固定部３ａとポーチ２から離間して固定部３ａから上方に延びる延伸部３ｂとを有する結合具３、及び結合具３に固定されるベルト４を備える。ベルト４をウエストに巻き付けてウエストポーチ１をウエストに取り付け、上着を結合具３の延伸部３ｂとポーチ２（固定部３ａ）との間に入れることにより、上着１１を着用しつつ、上着１１の下のウエストに取り付けたウエストポーチ１を上着１１の上に出すことができる。【選択図】図１
2019017521.tif 000002
【特許請求の範囲】
【請求項１】
ベルトでウエストに取り付けて使用するウエストポーチであって、
ポーチと、
前記ポーチに固定される固定部と前記ポーチから離間して前記固定部から上方に延びる延伸部とを有する結合具と、
前記結合具に固定されるベルトと、
を備えることを特徴とする、ウエストポーチ。
【請求項２】
前記固定部は、上下方向に延び、上端側に前記ポーチが固定されることを特徴とする、請求項１に記載のウエストポーチ。
【請求項３】
前記固定部は、さらに、下端側に前記ポーチが固定されることを特徴とする、請求項２に記載のウエストポーチ。
【請求項４】
前記固定部は、上下方向に延びる平面を有し、該平面を前記ポーチに当接して固定されることを特徴とする、請求項１〜３のいずれか一項に記載のウエストポーチ。
【請求項５】
左右に離間する２つの前記結合具を備えることを特徴とする、請求項１〜４のいずれか一項に記載のウエストポーチ。
【発明の詳細な説明】
【技術分野】
【０００１】
本発明は、ベルトでウエストに取り付けて使用するウエストポーチに関する。
【背景技術】
【０００２】
ウエストポーチは、小物を収容するポーチをベルトでウエストに取り付けることで、腕或いは肩に掛けることなく両手を自由にして使用することができる（例えば特許文献１参照）。しかし、例えば気温の低い冬季等に上着を着用する時、通常は、上着の裾をウエストポーチに被せて上着の内側に隠してしまうため、ポーチから小物を取り出す又はポーチに小物を入れる都度、上着を開けてポーチを出す面倒が生じる。また、上着の裾をウエストポーチの上に載せておくことも可能であるが、上着が折れ曲がりしわがよってしまい、外観上も整然としないものとなってしまう。
【先行技術文献】
【特許文献】
【０００３】
【特許文献１】特開２０１４−０６１０１８号公報
【発明の概要】
【発明が解決しようとする課題】
【０００４】
本発明は、上着を着用しつつ、ポーチを上着の上に出すことができるウエストポーチを提供することを課題とする。
【課題を解決するための手段】
【０００５】
本発明のウエストポーチは、
ベルトでウエストに取り付けて使用するウエストポーチであって、
ポーチと、
前記ポーチに固定される固定部と前記ポーチから離間して前記固定部から上方に延びる延伸部とを有する結合具と、
前記結合具に固定されるベルトと、
を備えることを特徴とする。
【０００６】
この特徴によれば、ポーチに、ポーチに固定される固定部とポーチから離間して固定部から上方に延びる延伸部とを有する結合具が設けられ、結合具にベルトが固定されていることで、ベルトをウエストに巻き付けてウエストポーチをウエストに取り付け、上着を結合具の延伸部とポーチとの間に入れることにより、上着を着用しつつ、上着の下のウエストに取り付けたウエストポーチを上着の上に出すことができる。
【０００７】
本発明のウエストポーチは、
前記固定部は、上下方向に延び、上端側に前記ポーチが固定されることを特徴とする。
【０００８】
この特徴によれば、上下方向に延びる固定部の上端側にポーチが固定されることで、ポーチの上側をウエストに近接した使いやすい位置に取り付けることができる。
【０００９】
本発明のウエストポーチは、
前記固定部は、さらに、下端側に前記ポーチが固定されることを特徴とする。
【００１０】
この特徴によれば、さらに固定部の下端側にポーチが固定されることで、ポーチが上下で固定されて、安定する。
【００１１】
本発明のウエストポーチは、
前記固定部は、上下方向に延びる平面を有し、該平面を前記ポーチに当接して固定されることを特徴とする。
【００１２】
この特徴によれば、固定部に当接するポーチの面（ウエストに近い面）が平面状となり、ポーチが使用しやすい形状で安定する。
【００１３】
本発明のウエストポーチは、
左右に離間する２つの前記結合具を備えることを特徴とする
【００１４】
この特徴によれば、左右に幅を有するポーチを使用し、その左右端のみを固定する結合具を用いることができ、結合具の重量を過大にしないことができる。
【発明の効果】
【００１５】
本発明によれば、上着を着用しつつ、ポーチを上着の上に出すことができるウエストポーチを提供することが可能となる。
【図面の簡単な説明】
【００１６】
【図１】図１は、ウエストポーチの構成を示す背面図である。
【図２】図２は、ウエストポーチの構成を示す側面図である。
【図３】図３は、ウエストポーチの使用方法を説明するための図である。
【図４】図４は、ウエストポーチの構成の変形例を示す側面図である。
【発明を実施するための形態】
【００１７】
以下、本発明の一実施例について説明する。
【００１８】
図１及び図２に、それぞれ、ウエストポーチ１の背面側及び側面側から視た構成を示す。ここで、図１及び図２における上下方向を縦方向、図１における左右方向を横方向、図２における左右方向を厚み方向とする。ウエストポーチ１は、ポーチ２、結合具３、及びベルト４を備える。
【００１９】
ポーチ２は、小物を収容する袋体であり、上面が開口した横長の箱体状の本体２ａ、本体２ａの背面に接続し、本体２ａの開口を閉じるカバー２ｂ、カバー２ｂの先端を本体２ａの正面に着脱可能に固定する固定具２ｃを有する。本体２ａ及びカバー２ｂは、例えば、布地、革、ポリエステル等の合成革から成形することができる。なお、ポーチ２は、小袋、鞄等の任意の形状の袋体であってよい。
【００２０】
結合具３は、ベルト４をポーチ２に結合する部材であり、本実施例では一例として左右に離間してポーチ２の背面に固定される２つの結合具３を含む。それにより、後述するように２つの結合具３に固定されるベルト４をウエストに巻き付けることにより、左右に幅を有するポーチ２を安定してウエストに取り付けることができる。２つの結合具３は、固定部３ａ及び延伸部３ｂを有する。
【００２１】
固定部３ａは、側面視において上下方向に延びるとともに下端を厚み方向に屈曲するＬ字状に成形され、上端側が固定具３ｃによりポーチ２の背面の中央やや上側に固定される。それにより、後述するように結合具３に固定されるベルト４をウエストに巻き付けることにより、ポーチ２の上側をウエストに近接して取り付けることができる。さらに、固定部３ａの下端側が固定具３ｃによりポーチ２の背面下端近傍に固定される。それにより、固定部３ａをポーチ２に安定に固定することができる。ここで、固定部３ａは、上下方向に延びる一面（図２における左面）をポーチ２の背面に当接して固定される。それにより、固定部３ａをポーチ２に安定に固定することができる。
【００２２】
延伸部３ｂは、ポーチ２から離間して固定部３ａのＬ字の下端から上方に延びる。つまり、延伸部３ｂは固定部３ａとともに側面視Ｕ字状に成形される。
【００２３】
固定部３ａ及び延伸部３ｂは、例えば金属、プラスチック、木などを用いて一体的に成形してもよいし、別個に成形して連結してもよい。ここで、固定部３ａ及び延伸部３ｂの上端の高さはほぼ等しい。なお、固定部３ａは、その上端をポーチ２の背面の上端近傍に固定してもよいし、任意の高さに固定してもよい。それにより、ウエストポーチ１をウエストに取り付けた際にポーチ２を任意の高さに取り付けることができる。また、固定部３ａ及び延伸部３ｂの長さを、それらの下端をポーチ２の下端より下方に降ろす設計としてもよい。それにより、長尺の上着を着用する場合にも、その裾を固定部３ａ及び延伸部３ｂの間隙に入れることができる。このため、固定部３ａ及び延伸部３ｂの長さを１５ｃｍ以上とすることが好ましい。
【００２４】
なお、連結具３は、２つに限らず、１つ或いは３以上でもよい。また、その横幅は本体２の背面に固定するのに適当な幅に定めてもよい。
【００２５】
ベルト４は、ポーチ２をウエストに取り付けるための部材であり、ベース４ａ、紐部材４ｂ，４ｃ、調整具４ｄ、及び係止具４ｂ０，４ｃ０を有する。
【００２６】
ベース４ａは、紐部材４ｂ，４ｃを結合具３に固定するための部材である。ベース４ａは、横方向を長手とする矩形状を有し、固定具４ｅを用いて２つの結合具３の上半部の間に掛けられる。ベース４ａは、例えばポリエステル等の合成革から成形することができる。
【００２７】
紐部材４ｂ，４ｃは、ウエストに巻き付けることでポーチ２をウエストに取り付ける紐状部材である。紐部材４ｂ，４ｃは、基端をそれぞれベース４ａの左右端に固定する。紐部材４ｂ，４ｃは、例えばポリエステル等の合成革から成形することができる。
【００２８】
調整具４ｄは、紐部材４ｂに取り付けられ、これにより紐部材４ｂの長さを調整することができる。
【００２９】
係止具４ｂ０，４ｃ０は、それぞれ紐部材４ｂ，４ｃの先端に固定され、係止具４ｂ０を係止具４ｃ０に嵌め入れて係止することで紐部材４ｂ，４ｃの先端を連結する。
【００３０】
図３を用いてウエストポーチ１の使用方法を説明する。あらかじめ調整具４ｄにより紐部材４ｂの長さが、紐部材４ｂ，４ｃがウエストに巻き付く長さに調整されているとする。図３（ａ）に示すように、ベルト４の紐部材４ｂ，４ｃをウエストに巻き付け、係止具４ｂ０を係止具４ｃ０に嵌め入れて係止する。それにより、ウエストポーチ１がウエストに取り付けられる。この状態において、図３（ｂ）に示すように、上着１１を上半身に着用し、その裾を結合具３の延伸部３ｂとポーチ２（固定部３ａ）との間に入れる。それにより、上着１１を着用しつつ、上着１１の下のウエストに取り付けたウエストポーチ１を上着１１の上に出すことができる。
【００３１】
以上詳細に説明したように、本実施例に係るウエストポーチ１は、ポーチ２、ポーチ２に固定される固定部３ａとポーチ２から離間して固定部３ａから上方に延びる延伸部３ｂとを有する結合具３、及び結合具３に固定されるベルト４を備える。ベルト４をウエストに巻き付けてウエストポーチ１をウエストに取り付け、上着を結合具３の延伸部３ｂとポーチ２（固定部３ａ）との間に入れることにより、上着１１を着用しつつ、上着１１の下のウエストに取り付けたウエストポーチ１を上着１１の上に出すことができる。
【００３２】
ポーチ２は、図４（Ａ）のように固定部３ａと延伸部３ｂの間に配置してもよい。ポーチ２と結合具３ｂの間に上着を入れることが出来る。また、図４（Ｂ）のように固定部３ａの両側に配置してもよい。
【００３３】
なお、本実施例に係るウエストポーチ１では、側面視Ｕ字形状を有する結合具３を採用したが、ベルト４が固定される延伸部３ｂをポーチ２から離間してその背面に固定することができれば、例えばＬ字又はＪ字状に成形し、下端をポーチ２の背面下端に固定することとしてもよい。
【産業上の利用可能性】
【００３４】
上着を着用しつつ、ポーチを上着の上に出すことができるウエストポーチである。多くの個人による利用が考えられる。
【符号の説明】
【００３５】
１      ウエストポーチ
２      ポーチ
２ａ    本体
２ｂ    カバー
２ｃ    固定具
３      結合具
３ａ    固定部
３ｂ    延伸部
３ｃ    固定具
４      ベルト
４ａ    ベース
４ｂ    紐部材
４ｂ０  係止具
４ｃ    紐部材
４ｃ０  係止具
４ｅ    固定具
４ｄ    調整具
１１    上着
【図１】
2019017521.tif 000003
【図２】
2019017521.tif 000004
【図３】
2019017521.tif 000005
【図４】
2019017521.tif 000006